(57)【要約】【課題】  画像に関連付けられているが画像等として印刷メディア上に印刷することができないデータを、印刷メディアに持たせること。【解決手段】  画像供給装置３の通信手段１９は、印刷メディア１１１に埋め込まれたＩＣチップ１１２にデータを書き込むことができる画像印刷装置４と通信する。印刷指示手段４１は、印刷装置４に印刷させる画像ファイル２１およびその画像ファイル２１のデータあるいはその画像ファイル２１の画像に関連するデータを含む書込データを通信手段１９から送信し、その選択した画像ファイル２１の画像を印刷する印刷メディア１１１のＩＣチップ１１２に書込データを書き込ませる。【選択図】  図４
2005346553.tif 000002
【特許請求の範囲】
【請求項１】
印刷メディアに埋め込まれたＩＣチップにデータを書き込むことができる印刷装置と通信する通信手段と、
上記印刷装置に印刷させる画像ファイルおよびその画像ファイルのデータあるいはその画像ファイルの画像に関連するデータを含む書込データを上記通信手段から送信し、その選択した画像ファイルの画像を印刷する上記印刷メディアのＩＣチップに上記書込データを書き込ませる印刷指示手段と、
を有することを特徴とする画像供給装置。
【請求項２】
前記印刷指示手段は、前記書込データとして、前記選択された画像ファイルの画像を撮像したときの音声データを送信することを特徴とする請求項１記載の画像供給装置。
【請求項３】
前記印刷指示手段は、前記書込データとして、前記選択された画像ファイルの画像を印刷する際の印刷条件のデータを送信することを特徴とする請求項１記載の画像供給装置。
【請求項４】
画像供給装置と通信し、この画像供給装置から画像ファイルおよび書込データを受信する受信手段と、
画像ファイルの画像を印刷メディアに印刷する印刷手段と、
書込データを上記印刷メディアに埋め込まれたＩＣチップに書き込む書込手段と、
上記受信した画像ファイルを上記印刷手段により印刷メディアに印刷するとともに、上記受信した書込データを上記書込手段によりその印刷メディアのＩＣチップに書き込む印刷制御手段と、
を有することを特徴とする印刷装置。
【請求項５】
前記受信手段は、印刷メディアに関する印刷条件を前記書込データとして受信し、
前記印刷制御手段は、前記書込手段を用いて前記印刷メディアのＩＣチップに予め書き込まれている印刷メディアに関する情報を読み込み、この印刷メディアに関する情報が上記受信した印刷条件に合致する場合には、印刷処理およびデータの書込処理を開始し、これらが合致しない場合には印刷処理およびデータの書込処理を中止あるいは中断する、
ことを特徴とする請求項４記載の印刷装置。
【請求項６】
前記印刷手段は、給紙トレイから排紙トレイへ前記印刷メディアを搬送し、搬送経路の途中において前記印刷メディアに画像を印刷し、
前記書込手段は、上記搬送経路に対して電波を照射し、
前記印刷制御手段は、前記書込手段による前記ＩＣチップへの書込データの書込みが完了してから、上記搬送経路にて搬送されている前記印刷メディアを上記排紙トレイに排出する、
ことを特徴とする請求項４記載の印刷装置。
【請求項７】
印刷メディアを搬送する搬送手段と、
上記印刷メディアに印刷をする印刷手段と、
上記搬送手段による上記印刷メディアの搬送方向とは垂直な方向において上記印刷メディアの中心からずれた位置に埋め込まれている無線通信可能なＩＣチップを検出する検出手段と、
上記検出手段により上記ＩＣチップが検出されたか否かに応じて上記印刷手段を制御する印刷制御手段と、
を有することを特徴とする印刷装置。
【請求項８】
印刷メディア上の画像を画像データとして読み取る画像読取手段と、
上記画像読取手段により読み取られた画像データに基づき、別の印刷メディアに画像を印刷する印刷手段と、
上記読取手段により画像を読み取られる印刷メディアに埋め込まれたＩＣチップから印刷条件のデータを読み取るデータ読取手段と、
上記データ読取手段により読み取られた印刷条件のデータに基づき、その印刷条件で上記印刷手段により上記別の印刷メディアに画像を印刷する印刷制御手段と、
を有することを特徴とする印刷装置。
【請求項９】
画像が印刷されるとともに、その印刷された画像に関連する再生データが書き込まれたＩＣチップを有する印刷メディアが載置される載置台と、
上記ＩＣチップから上記再生データを読み出す読出手段と、
上記読み出した再生データを再生する再生手段と、
を有することを特徴とする再生装置。
【請求項１０】
請求項１記載の画像供給装置と、請求項４記載の印刷装置とを有することを特徴とする画像印刷システム。
【請求項１１】
印刷装置に画像ファイルを供給し印刷させる画像供給方法において、
印刷メディアに埋め込まれたＩＣチップにデータを書き込むことができる印刷装置に、画像ファイル並びにその画像ファイルのデータあるいはその画像ファイルの画像に関連するデータを含む書込データを送信するステップと、
上記印刷装置に、上記画像ファイルの画像を上記印刷メディアに印刷させるとともに、その印刷メディアのＩＣチップに上記書込データを書き込ませるステップと、
を有することを特徴とする画像供給方法。
【請求項１２】
画像供給装置から画像ファイルを受信し、その画像ファイルに基づく画像を印刷する印刷方法において、
画像供給装置と通信して画像ファイルおよび書込データを受信するステップと、
上記受信した画像ファイルの画像を印刷メディアに印刷するステップと、
上記受信した書込データを上記印刷メディアに埋め込まれたＩＣチップに書き込むステップと、
を有することを特徴とする印刷方法。
【発明の詳細な説明】
【技術分野】
【０００１】
本発明は、画像供給装置、印刷装置、再生装置、画像印刷システム、画像供給方法および印刷方法に関する。
【背景技術】
【０００２】
特許文献１および特許文献２には、印刷システムが開示されている。これらの従来の印刷システムでは、ＵＳＢ（Ｕｎｉｖｅｒｓａｌ  Ｓｅｒｉａｌ  Ｂｕｓ）ストレージクラスデバイスのデジタルカメラと、ＵＳＢホストのプリンタとをＵＳＢを介して直接に接続する。カメラは、ボタン操作に基づいて、印刷設定データや、印刷要求を生成する。印刷設定データでは、印刷枚数、用紙種類、用紙サイズ、印刷品質、画像補正、印刷レイアウト、印刷対象画像などが指定される。カメラは、プリンタの「Ｉｎｔｅｒｒｕｐｔ  Ｉｎ」コマンドに応じて印刷要求を返送する。プリンタは、この印刷要求を受信すると、カメラから印刷設定データを読み込む。さらに、プリンタは、その印刷設定データで指定されている印刷対象画像の画像ファイルをカメラから読み込んで、印刷を実行する。
【０００３】
特許文献３には、指定席券を発行する指定席券発行装置が開示されている。この指定席券発行装置は、指定席券情報を非接触型タグに書き込む。
【０００４】
【特許文献１】特開２００３−２５６１５４号公報（要約書など）
【特許文献２】特開２００３−２５６１７０号公報（要約書など）
【特許文献３】特開２００４−０３８４１８号公報（特許請求の範囲、発明の詳細な説明など）
【発明の開示】
【発明が解決しようとする課題】
【０００５】
上述したように、従来の印刷システムでは、デジタルカメラが接続されるプリンタは、デジタルカメラから印刷レイアウトなどの印刷指示およびその印刷に係る画像ファイルを取得することで、その画像ファイルの画像を印刷指示に基づいて用紙に割り付けて印刷することができる。
【０００６】
しかしながら、従来の印刷システムでは、用紙などの印刷メディアに、画像などとして印刷できるものしか情報を持たせることができない。また、画像以外の情報としては、デジタルカメラにより指定される、画像を撮像した日付などを印刷する程度である。
【０００７】
本発明は、画像に関連付けられているが画像等として印刷メディア上に印刷することができないデータを、印刷メディアに持たせることができる画像供給装置、印刷装置、再生装置、画像印刷システム、画像供給方法および印刷方法を得ることを目的とする。
【課題を解決するための手段】
【０００８】
本発明に係る画像供給装置は、印刷メディアに埋め込まれたＩＣチップにデータを書き込むことができる印刷装置と通信する通信手段と、印刷装置に印刷させる画像ファイルおよびその画像ファイルのデータあるいはその画像ファイルの画像に関連するデータを含む書込データを通信手段から送信し、その選択した画像ファイルの画像を印刷する印刷メディアのＩＣチップに書込データを書き込ませる印刷指示手段と、を有するものである。
【０００９】
この構成を採用すれば、印刷装置に、画像を印刷する印刷メディアのＩＣチップに、その画像に関連するデータを書き込ませることができる。したがって、印刷メディアに、それに印刷することができないデータを、画像と関連付けて持たせることができる。
【００１０】
本発明に係る画像供給装置は、上述した発明の構成に加えて、印刷指示手段が、書込データとして、選択された画像ファイルの画像を撮像したときの音声データを送信するものである。
【００１１】
この構成を採用すれば、画像を撮像したときの音声のデータを、画像と関連付けて印刷メディアに持たせることができる。
【００１２】
本発明に係る画像供給装置は、上述した各発明の構成に加えて、印刷指示手段が、書込データとして、選択された画像ファイルの画像を印刷する際の印刷条件のデータを送信するものである。
【００１３】
この構成を採用すれば、画像を印刷するときの印刷条件のデータを、画像と関連付けて印刷メディアに持たせることができる。
【００１４】
本発明に係る印刷装置は、画像供給装置と通信し、この画像供給装置から画像ファイルおよび書込データを受信する受信手段と、画像ファイルの画像を印刷メディアに印刷する印刷手段と、書込データを印刷メディアに埋め込まれたＩＣチップに書き込む書込手段と、受信した画像ファイルを印刷手段により印刷メディアに印刷するとともに、受信した書込データを書込手段によりその印刷メディアのＩＣチップに書き込む印刷制御手段と、を有するものである。
【００１５】
この構成を採用すれば、画像を印刷する印刷メディアのＩＣチップに、その画像に関連するデータを書き込むことができる。したがって、印刷メディアに、印刷することができないデータを、画像と関連付けて持たせることができる。
【００１６】
本発明に係る印刷装置は、上述した発明の構成に加えて、受信手段が、印刷メディアに関する印刷条件を書込データとして受信し、印刷制御手段が、書込手段を用いて印刷メディアのＩＣチップに予め書き込まれている印刷メディアに関する情報を読み込み、この印刷メディアに関する情報が受信した印刷条件に合致する場合には、印刷処理およびデータの書込処理を開始し、これらが合致しない場合には印刷処理およびデータの書込処理を中止あるいは中断するものである。
【００１７】
この構成を採用すれば、印刷条件に合致しない印刷メディアに対して、誤って画像を印刷してしまうことを防止することができる。
【００１８】
本発明に係る印刷装置は、上述した各発明の構成に加えて、印刷手段が、給紙トレイから排紙トレイへ印刷メディアを搬送し、搬送経路の途中において印刷メディアに画像を印刷し、書込手段が、搬送経路に対して電波を照射し、印刷制御手段が、書込手段によるＩＣチップへの書込データの書込みが完了してから、搬送経路にて搬送されている印刷メディアを排紙トレイに排出するものである。
【００１９】
この構成を採用すれば、給紙トレイから排紙トレイへ印刷メディアを搬送している間に、その印刷メディアに対する画像の印刷とＩＣチップへのデータ書込みを行う。したがって、給紙トレイや排紙トレイに他の印刷メディアが載置されていたとしても、この他の印刷メディアのＩＣチップと通信しないで、搬送経路において印刷する印刷メディアのＩＣチップに対してデータを書き込むことができる。
【００２０】
本発明に係る他の印刷装置は、印刷メディアを搬送する搬送手段と、印刷メディアに印刷をする印刷手段と、搬送手段による印刷メディアの搬送方向とは垂直な方向において印刷メディアの中心からずれた位置に埋め込まれている無線通信可能なＩＣチップを検出する検出手段と、検出手段によりＩＣチップが検出されたか否かに応じて印刷手段を制御する印刷制御手段と、を有するものである。
【００２１】
この構成を採用すれば、たとえば印刷メディアが裏返しに搬送されたことを検知して、その印刷メディアに対する印刷や書込みを中止あるいは中断することができる。
【００２２】
本発明に係る第三の印刷装置は、印刷メディア上の画像を画像データとして読み取る画像読取手段と、画像読取手段により読み取られた画像データに基づき、別の印刷メディアに画像を印刷する印刷手段と、読取手段により画像を読み取られる印刷メディアに埋め込まれたＩＣチップから印刷条件のデータを読み取るデータ読取手段と、データ読取手段により読み取られた印刷条件のデータに基づき、その印刷条件で印刷手段により別の印刷メディアに画像を印刷する印刷制御手段と、を有するものである。
【００２３】
この構成を採用すれば、印刷メディアに画像等を印刷したときと同じ印刷条件を使用して、他の印刷メディアにその画像等を印刷することができる。
【００２４】
本発明に係る再生装置は、画像が印刷されるとともに、その印刷された画像に関連する再生データが書き込まれたＩＣチップを有する印刷メディアが載置される載置台と、ＩＣチップから再生データを読み出す読出手段と、読み出した再生データを再生する再生手段と、を有するものである。
【００２５】
この構成を採用すれば、印刷メディアのＩＣチップに書き込まれた再生データを再生することができる。
【００２６】
本発明に係る画像印刷システムは、上述したいずれか１つの発明に係る画像供給装置と、上述したいずれか１つの発明に係る印刷装置とを有するものである。
【００２７】
この構成を採用すれば、画像供給装置において画像ファイルおよび書込データを選択し、印刷装置において、この画像ファイルの画像を印刷メディアに印刷し、且つ、その印刷メディアのＩＣチップに、書込データを書き込むことができる。したがって、印刷メディアに、それに印刷することができないデータを、画像と関連付けて持たせることができる。
【００２８】
本発明に係る画像供給方法は、印刷装置に画像ファイルを供給し印刷させる画像供給方法において、印刷メディアに埋め込まれたＩＣチップにデータを書き込むことができる印刷装置に、画像ファイル並びにその画像ファイルのデータあるいはその画像ファイルの画像に関連するデータを含む書込データを送信するステップと、印刷装置に、画像ファイルの画像を印刷メディアに印刷させるとともに、その印刷メディアのＩＣチップに書込データを書き込ませるステップと、を有するものである。
【００２９】
この構成を採用すれば、印刷装置に、画像を印刷する印刷メディアのＩＣチップに、その画像に関連するデータを書き込ませることができる。したがって、印刷メディアに、それに印刷することができないデータを、画像と関連付けて持たせることができる。
【００３０】
本発明に係る印刷方法は、画像供給装置から画像ファイルを受信し、その画像ファイルに基づく画像を印刷する印刷方法において、画像供給装置と通信して画像ファイルおよび書込データを受信するステップと、受信した画像ファイルの画像を印刷メディアに印刷するステップと、受信した書込データを印刷メディアに埋め込まれたＩＣチップに書き込むステップと、を有するものである。
【００３１】
この構成を採用すれば、画像を印刷する印刷メディアのＩＣチップに、その画像に関連するデータを書き込むことができる。したがって、印刷メディアに、それに印刷することができないデータを、画像と関連付けて持たせることができる。
【発明を実施するための最良の形態】
【００３２】
以下、本発明の実施の形態に係る画像供給装置、印刷装置、再生装置、画像印刷システム、画像供給方法および印刷方法を、図面に基づいて説明する。画像供給装置は、デジタルスチルカメラを例として説明する。画像供給方法は、デジタルスチルカメラの動作の一部として説明する。印刷装置は、プリンタおよび複合機を例として説明する。再生装置は、フォトスタンドおよびパーソナルコンピュータの場合を例として説明する。
【００３３】
実施の形態１．
本発明の実施の形態１に係るダイレクト印刷システムでは、ＲＦタグチップが埋設された印刷メディアに、画像を印刷するとともに音声ファイルのデータを書込み、再生システムにおいて、その印刷メディアに書き込んだ音声ファイルの音声を再生する。
【００３４】
図１は、本発明の実施の形態１に係るダイレクト印刷システム１の構成を示す図である。ダイレクト印刷システム１は、画像供給装置としてのデジタルスチルカメラ（ＤＳＣ：Ｄｉｇｉｔａｌ  Ｓｔｉｌｌ  Ｃａｍｅｒａ）３と、印刷装置としてのプリンタ４とを有する。ＤＳＣ３とプリンタ４とは、ＵＳＢケーブル５にて接続される。
【００３５】
図２は、図１中のＤＳＣ３のハードウェア構成を示す図である。ＤＳＣ３は、プログラムを実行する中央処理装置（ＣＰＵ：Ｃｅｎｔｒａｌ  Ｐｒｏｃｅｓｓｉｎｇ  Ｕｎｉｔ）１１と、プログラムを記憶するフラッシュメモリ１２と、Ｉ／Ｏ（Ｉｎｐｕｔ／Ｏｕｔｐｕｔ）ポート１３と、これらを接続するシステムバスＢとを有する。
【００３６】
ＤＳＣ３のＩ／Ｏポート１３には、集音機器としてのマイクロホン１４と、撮像機器としてのＣＣＤ（Ｃｈａｒｇｅ  Ｃｏｕｐｌｅｄ  Ｄｅｖｉｃｅ）１５と、外部メモリ接続機器としてのカードリーダ１６と、表示機器としての液晶モニタ１７と、入力機器としての入力デバイス１８と、送信手段としてのＵＳＢ通信Ｉ／Ｆ（ｉｎｔｅｒｆａｃｅ：インターフェース）１９とが接続される。
【００３７】
カードリーダ１６は、図示外の挿入部を有する。この挿入部には、カード形状に形成された半導体メモリ２０を挿入することができる。カード形状に形成された半導体メモリ２０としては、たとえばフラッシュメモリなどがある。そして、カードリーダ１６は、挿入部に挿入されている半導体メモリ２０に、ＣＣＤ１５の撮像データに基づく画像データをＥｘｉｆ画像ファイル２１（画像ファイルの一種）として書き込んだり、その撮像時にマイクロホン１４で集音した音声データを音声ファイル２２として書き込んだり、挿入部に挿入されている半導体メモリ２０からＥｘｉｆ画像ファイル２１や音声ファイル２２のデータを読み出したりする。
【００３８】
ＵＳＢ通信Ｉ／Ｆ１９は、図示外のＵＳＢコネクタを有する。ＵＳＢコネクタには、ＵＳＢケーブル５が接続される。ＵＳＢ通信Ｉ／Ｆ１９は、ＵＳＢコネクタから信号が入力されるとその信号からデータを抽出する。また、ＵＳＢ通信Ｉ／Ｆ１９は、送信するデータに基づいて信号を生成し、この信号をＵＳＢコネクタへ出力する。
【００３９】
図３は、図２中のフラッシュメモリ１２の記憶内容を示す図である。図４は、図１のダイレクト印刷システム１に印刷時に実現される機能を示すブロック図である。
【００４０】
図３に示すように、ＤＳＣ３のフラッシュメモリ１２には、撮像処理プログラム３１と、印刷オペレーション生成プログラム３２と、ＰＴＰ（Ｐｉｃｔｕｒｅ  Ｔｒａｎｓｆｅｒ  Ｐｒｏｔｏｃｏｌ）通信プログラム３３と、ＵＳＢスティルイメージクラスプログラム３４とが格納される。
【００４１】
図３の撮像処理プログラム３１は、中央処理装置１１に実行されることで、図示外の撮像処理部を実現する。撮像処理部には、入力デバイス１８が出力する入力データと、ＣＣＤ１５が出力する撮像データと、マイクロホン１４が出力する音声データとが入力される。
【００４２】
そして、撮像処理部は、入力デバイス１８から撮像指示を示す入力データが入力されると、そのタイミングにおいてＣＣＤから出力されている撮像データを、ＪＰＥＧ（Ｊｏｉｎｔ  Ｐｈｏｔｏｇｒａｐｈｉｃ  Ｅｘｐｅｒｔｓ  Ｇｒｏｕｐ）形式の画像データに圧縮し、この画像データを含むＥｘｉｆ画像ファイル２１を半導体メモリ２０に書き込む。また、撮像処理部は、その撮像指示を示す入力データが入力されたタイミングから所定の期間にわたる音声データを含む音声ファイル２２を半導体メモリ２０に書き込む。
【００４３】
また、撮像処理部は、同じ撮像指示に基づいて保存したＥｘｉｆ画像ファイル２１と音声ファイル２２との関連付け処理を行う。たとえば、撮像処理部は、Ｅｘｉｆ画像ファイル２１のＥｘｉｆヘッダに、音声ファイル２２のファイル名を書き込む。この他にもたとえば、Ｅｘｉｆ画像ファイル２１のファイル名と、音声ファイル２２のファイル名との間に何らかの関連性を持たせるようにしてもよい。
【００４４】
図３の印刷オペレーション生成プログラム３２は、中央処理装置１１に実行されることで、図４に示す印刷ＯＰ（オペレーション）生成部４１を実現する。印刷ＯＰ生成部４１は、半導体メモリ２０に記憶されているＥｘｉｆ画像ファイル２１を選択し、その選択したＥｘｉｆ画像ファイル２１の画像を選択した印刷条件で表示させるスタートプリントオペレーション（画像印刷指示）を生成する。なお、この印刷ＯＰ生成部４１は、画像選択手段、書込データ選択手段および印刷指示手段として機能する。
【００４５】
図５は、図４の印刷ＯＰ生成部４１が送信するスタートプリントオペレーション５１を示す図である。スタートプリントオペレーション５１は、ＸＭＬ（ｅＸｔｅｎｓｉｂｌｅ  Ｍａｒｋｕｐ  Ｌａｎｇｕａｇｅ）形式のテキストデータで構成される。
【００４６】
具体的には、スタートプリントオペレーション５１は、そのオペレーションがリクエスト（要求）であることを示す一対のリクエストタグ５２，５２を有する。そして、その一対のリクエストタグ５２，５２の間には、そのリクエストが印刷ジョブ開始のリクエストであることを示す一対のタグ５３，５３がはさまれている。
【００４７】
スタートプリントオペレーション５１の一対のタグ５３，５３の間には、各種の印刷パラメータのテキストデータが記述される。図５の例では、印刷パラメータとして、印刷対象である画像ファイルに関する情報である、そのタイプ５５とファイル名（もしくはファイルＩＤ）５６とが記述される。また、印刷パラメータとして、印刷する用紙（印刷メディア）に関する情報である、その印刷メディアのペーパータイプ（種類）５７、サイズ５８、およびクオリティ（対応する印刷品質）５９が記述される。さらに、図５の例では、印刷レイアウト情報（印刷メディア１枚に印刷する画像の数や配置の指定情報）６０が記述される。
【００４８】
また、図５に示すスタートプリントオペレーション５１では、これらの印刷パラメータ５５〜６０に続けて、印刷メディアの後述するＲＦタグチップに書き込むデータに関する情報が記述されている。具体的には、書込データとなるデータを格納するファイルのタイプ６１とファイル名（もしくはファイルＩＤ）６２が記述される。なお、図５の例では、印刷と同時に書込みを行う書込データのファイルとして、印刷に係るＥｘｉｆ画像ファイル２１とともに生成した音声ファイル２２のファイル名６２が指定している。
【００４９】
図３のＰＴＰ通信プログラム３３は、中央処理装置１１に実行されることで、図４に示すＰＴＰ通信部４２を実現する。ＰＴＰ通信部４２は、後述するプリンタ４のＰＴＰ通信部１５５との間で、ファイルやデータ（各種のオペレーションとそれに対する応答）を送受する。
【００５０】
図３のＵＳＢスティルイメージクラスプログラム３４は、中央処理装置１１に実行されることで、図４に示すＵＳＢスティルイメージクラス通信部４３を実現する。ＵＳＢスティルイメージクラス通信部４３は、ＵＳＢホストとの間でデータを送受する。
【００５１】
図６は、図１中のプリンタ４のハードウェア構成を示す図である。プリンタ４は、中央処理装置７１と、中央処理装置７１がプログラムの実行の際に利用するＲＡＭ（Ｒａｎｄｏｍ  Ａｃｃｅｓｓ  Ｍｅｍｏｒｙ）７２と、プログラムを記憶するフラッシュメモリ７３と、Ｉ／Ｏポート７４と、これらを接続するシステムバス７５とを有する。
【００５２】
プリンタ４のＩ／Ｏポート７４には、印刷手段および搬送手段としての給紙機構７６と、印刷手段としてのプリントエンジンを構成するインク吐出機構７７と、書込手段および検出手段としてのＲＦ（Ｒａｄｉｏ  Ｆｒｅｑｕｅｎｃｙ）タグリーダライタ７８と、表示部７９と、操作部８０と、受信手段としてのＵＳＢ通信Ｉ／Ｆ８１とが接続される。
【００５３】
プリンタ４のＵＳＢ通信Ｉ／Ｆ８１は、ＤＳＣ３のＵＳＢ通信Ｉ／Ｆ１９と同様の機能を有するものであり、その説明を省略する。ただし、プリンタ４のＵＳＢ通信Ｉ／Ｆ８１は、ＵＳＢホストとして機能し、ＤＳＣ３のＵＳＢ通信Ｉ／Ｆ１９は、ＵＳＢデバイスとして機能する。
【００５４】
図７は、図１中のプリンタ４の内部構造を示す透過側面図である。
【００５５】
給紙機構７６は、給紙トレイ９１と、給紙ローラ９２と、供給ローラ対９３と、プラテン９４と、排紙ローラ対９５と、排紙トレイ９６とを有する。給紙トレイ９１は、プリンタ４の筐体９８から上方向へ突出して設けられる。排紙トレイ９６は、プリンタ４の筐体９８の横方向へ突出して設けられる。給紙ローラ９２は、給紙トレイ９１に載置された用紙などの印刷メディア１１１を給紙トレイ９１から搬出する。供給ローラ対９３は、給紙トレイ９１から搬出された印刷メディア１１１をプラテン９４へ供給する。排紙ローラ対９５は、プラテン９４に供給された印刷メディア１１１を排紙トレイ９６へ排出する。
【００５６】
以下において、給紙トレイ９１から排紙トレイ９６までの印刷メディア１１１の搬送経路（図７において点線で示す経路）において、ある基準点より上流側の搬送経路という場合には、その基準点より給紙トレイ９１側の搬送経路を意味し、ある基準点より下流側の搬送経路という場合には、その基準点より排紙トレイ９６側の搬送経路を意味する。
【００５７】
インク吐出機構７７は、長尺なキャリッジレール１０１と、キャリッジ１０２と、インクタンク１０３とを有する。キャリッジレール１０１は、印刷メディア１１１の搬送経路をはさんで、プラテン９４に対向して配設される。また、キャリッジレール１０１は、その長尺方向が印刷メディア１１１の搬送方向に対して略垂直となるように配設される。以下、キャリッジレール１０１とプラテン９４との間およびその周辺部を印刷位置とよぶ。
【００５８】
キャリッジ１０２は、このキャリッジレール１０１に移動可能に保持される。キャリッジ１０２のプラテン９４側には、インク吐出ノズル１０４が形成される。インクタンク１０３は、キャリッジ１０２に載置される。インク吐出ノズル１０４は、インクタンク１０３に収容されているインクをプラテン９４に向けて吐出する。
【００５９】
図８は、図７の給紙トレイ９１に載置される印刷メディア１１１の一例を示す図である。この印刷メディア１１１は、Ａ４サイズの白色の用紙であって、片面のみが印刷面に指定されている用紙である。また、用紙の対向する２つの角の近傍には、ＩＣチップを有するＲＦタグチップ１１２が１つずつ埋め込まれている。つまり、各ＲＦタグチップ１１２は、印刷メディア１１１の長尺方向の中心線から左右いずれかにずれた位置に埋設される。
【００６０】
この印刷メディア１１１の一方の長辺から一方のＲＦタグチップ１１２までの距離と、印刷メディア１１１の他方の長辺から他方のＲＦタグチップ１１２までの距離とは、略等しくなっている。これにより、印刷メディア１１１の２つのＲＦタグチップ１１２は、図８に示す給紙方向に給紙される場合と、その給紙方向は逆方向に給紙される場合とで、互いの給紙経路を入れ替えた経路にて搬送されることになる。その結果、ユーザは、ＲＦタグチップ１１２を具備しない通常の用紙と同様に印刷メディア１１１を給紙トレイ９１に載置する際にその給紙向きを考えることなく、ＲＦタグチップ１１２が所定の経路にて搬送されるようにセットすることができる。
【００６１】
なお、印刷メディア１１１は、紙製に限られるものではなく、プラスチック製のフィルムやコンパクトディスクなどの光学式記録媒体であってもよい。また、印刷メディア１１１は、Ａ４などの定形サイズではなく、長尺なロール形状に形成されていてもよい。また、１枚の印刷メディア１１１に設けるＲＦタグチップ１１２の数は、１つであっても、３つ以上であってもよい。また、ＲＦタグチップ１１２の埋設位置は、印刷メディア１１１の紙面中央であっても、印刷メディア１１１の隅であってもよい。
【００６２】
図９は、図８中のＲＦタグチップ１１２を示すブロック図である。ＲＦタグチップ１１２は、プロセッサ１２１と、不揮発性のメモリ１２２と、Ｉ／Ｏポート１２３と、これらを接続するシステムバス１２４とを有する。また、ＲＦタグチップ１１２のＩ／Ｏポート１２３には、センサ１２５と、アンテナを有するＲＦ受信部１２６とが接続される。また、ＲＦ受信部１２６には、電源回路１２７が接続される。
【００６３】
このようなＲＦタグチップ１１２は、全幅約１ｍｍ以下のサイズであり、たとえば印刷メディア１１１をエンボス加工してそのエンボス加工により形成される窪みに配設したり、印刷メディア１１１の中に抄き込むことで配設したりすればよい。そして、ＲＦタグチップ１１２は、ＲＦ受信部１２６が電波を受信すると、その電波の電力が電源回路１２７へ供給される。電源回路１２７は、この電波の電力から所定の電圧の電力を生成する。この電源回路が生成した電力で、ＲＦタグチップ１１２の各回路は動作する。
【００６４】
また、ＲＦ受信部１２６は、受信した電波に重畳されているデータをＩ／Ｏポート７４を介してプロセッサ１２１へ出力する。プロセッサ１２１は、この受信したデータに基づいて所定のデータをメモリ１２２へ書き込んだり、メモリ１２２からデータを読み出してＲＦ受信部１２６に送信させたりする。
【００６５】
図１０は、図９中のメモリ１２２の内部データを示す図である。ＲＦタグチップ１１２のメモリ１２２には、印刷メディア１１１の出荷前にデータが予め書き込まれているベンダデータ領域１３１と、出荷後にデータを書き込むことができるユーザデータ領域１３２とを有する。ベンダデータ領域１３１には、たとえばＲＦタグチップ１１２のＩＤ番号、印刷メディア１１１の製造者、型番、製品名、用紙サイズ（Ａ４など）、用紙タイプ（普通紙、光沢紙、マット紙など）などが記録される。
【００６６】
図６にもどって、ＲＦタグリーダライタ７８は、図示外のＲＦアンテナと、データ送受信回路とを有する。このデータ送受信回路は、データで変調された信号をＲＦアンテナへ出力する。ＲＦアンテナは、その信号を電波として送信する。また、データ送受信回路は、ＲＦアンテナが受信した電波を復調し、その受信電波からデータを再生する。
【００６７】
図７に示すように、ＲＦタグリーダライタ７８は、プラテン９４の下に配設される。ＲＦタグリーダライタ７８は、ＲＦタグリーダライタ７８をプラテン９４の下に配設されることで、印刷メディア１１１に近接する。そして、ＲＦタグリーダライタ７８は、印刷位置に給紙された印刷メディア１１１のＲＦタグチップ１１２へ電波を送信し、このＲＦタグチップ１１２と通信する。また、ＲＦタグリーダライタ７８の電波の送信方向を印刷位置の方向に適当に絞り込んだり、電波を適当に弱くしたりすることで、印刷位置以外にあるＲＦタグチップ１１２、たとえば給紙トレイ９１や排紙トレイ９６に載置されている印刷メディア１１１のＲＦタグチップ１１２に電波による給電をしないようにすることができる。
【００６８】
なお、ＲＦタグリーダライタ７８は、供給ローラ対９３と給紙トレイ９１との間に配設されてもよい。これにより、ＲＦタグリーダライタ７８は、印刷位置より上流側の搬送経路において、印刷メディア１１１のＲＦタグチップ１１２と通信することができる。
【００６９】
図１１は、図６中のプリンタ４のフラッシュメモリ７３の記憶内容を示す図である。プリンタ４のフラッシュメモリ７３には、オペレーション解釈プログラム１４１と、デコードプログラム１４２と、印刷制御プログラム１４３と、ファイル取得プログラム１４４と、ＰＴＰ通信プログラム１４５と、ＵＳＢスティルイメージクラスプログラム１４６とが記憶される。以下、図４を参照しつつ、これらのプログラムについて説明する。
【００７０】
オペレーション解釈プログラム１４１は、中央処理装置７１に実行されることで図４に示すＯＰ（オペレーション）解釈部１５１を実現する。ＯＰ解釈部１５１は、ＸＭＬ形式のデータとして記述された各種のオペレーションが入力されると、そのオペレーションに対応付けられた処理を実行する。
【００７１】
デコードプログラム１４２は、中央処理装置７１に実行されることで、デコーダ１５２を実現する。デコーダ１５２は、指定された画像ファイルの画像データが符号化されている場合（たとえばＪＰＥＧなどの場合）、その画像データをデコードする。
【００７２】
印刷制御プログラム１４３は、中央処理装置７１に実行されることで、印刷制御手段としての印刷制御部１５３を実現する。印刷制御部１５３は、給紙機構７６およびインク吐出機構７７を制御して、印刷メディア１１１に対して印刷を行う。また、印刷制御部１５３は、ＲＦタグリーダライタ７８を用いてその印刷している印刷メディア１１１のＲＦタグチップ１１２と通信する。
【００７３】
ファイル取得プログラム１４４は、中央処理装置７１に実行されることで図４に示すファイル取得部１５４を実現する。ファイル取得部１５４は、画像ファイルなどのファイルを取得して、その取得したファイルをデコーダ１５２や印刷制御部１５３へ出力する。
【００７４】
ＰＴＰ通信プログラム１４５は、中央処理装置７１に実行されることでＰＴＰ通信部１５５を実現する。ＵＳＢスティルイメージクラスプログラム１４６は、中央処理装置７１に実行されることでＵＳＢスティルイメージクラス通信部１５６を実現する。これらは、図３に基づいてＤＳＣ３に実現される同名のものと同じ機能を奏するものであり、説明を省略する。ただし、ＤＳＣ３のＵＳＢスティルイメージクラス通信部４３は、ＵＳＢデバイスとして機能し、プリンタ４のＵＳＢスティルイメージクラス通信部１５６は、ＵＳＢホストとして機能する。
【００７５】
次に、以上のような構成を有するダイレクト印刷システム１の印刷時の動作を説明する。この動作の説明では、ＤＳＣ３の半導体メモリ２０に、Ｅｘｉｆ画像ファイル２１と、音声ファイル２２とが記憶されているものとして説明する。また、そのＥｘｉｆ画像ファイル２１のＥｘｉｆヘッダには、音声ファイル２２のファイル名が記載されているものとする。
【００７６】
図１２は、図１中のＤＳＣ３とプリンタ４との間の通信シーケンスを示す図である。図１３は、図４中のプリンタ４の印刷制御部１５３の処理を示すフローチャートである。
【００７７】
印刷時には、ＤＳＣ３のＵＳＢ通信Ｉ／Ｆ１９とプリンタ４のＵＳＢ通信Ｉ／Ｆ８１とがＵＳＢケーブル５で接続される。そして、図４に示すように、ＤＳＣ３では、印刷ＯＰ生成部４１と、ＰＴＰ通信部４２と、ＵＳＢスティルイメージクラス通信部４３とが実現される。また、プリンタ４では、ＯＰ解釈部１５１と、ファイル取得部１５４と、デコーダ１５２と、印刷制御部１５３と、ＰＴＰ通信部１５５と、ＵＳＢスティルイメージクラス通信部１５６とが実現される。
【００７８】
図１２に示すように、ＤＳＣ３とプリンタ４とは、コネクションを確立する（ステップＳ１）。具体的には、まず、ＵＳＢホストとして機能するプリンタ４のＵＳＢ通信Ｉ／Ｆ８１は、ＵＳＢデバイスとして機能するＤＳＣ３のＵＳＢ通信Ｉ／Ｆ１９へ、ＵＳＢのディスクリプタの送信要求を送信する。ＤＳＣ３のＵＳＢ通信Ｉ／Ｆ１９は、このディスクリプタの送信要求に応じて、ＤＳＣ３のディスクリプタを送信する。ＤＳＣ３のディスクリプタは、プリンタ４のＵＳＢ通信Ｉ／Ｆ８１へ送信される。プリンタ４のＵＳＢ通信Ｉ／Ｆ８１は、受信したＤＳＣ３のディスクリプタに基づいて、エンドポイントと呼ばれる通信バッファを生成する。これにより、ＵＳＢのコンフィグレーション処理が完了する。次に、プリンタ４のＰＴＰ通信部１５５とＤＳＣ３のＰＴＰ通信部４２との間で、ＰＴＰに基づく所定の接続処理が実行される。これにより、ＤＳＣ３とプリンタ４とのコネクションが確立される。
【００７９】
ＤＳＣ３とプリンタ４とのコネクションが確立されると、ＤＳＣ３の印刷ＯＰ生成部４１は、印刷条件などを選択するための基礎情報を取得するために、ゲットケーパビリティオペレーションを、ＤＳＣ３のＰＴＰ通信部４２へ出力する。
【００８０】
図１４は、図４の印刷ＯＰ生成部４１が送信するゲットケーパビリティオペレーション１６１を示す図である。ゲットケーパビリティオペレーション１６１は、ＸＭＬ形式のテキストデータである。その中には、一対のリクエストタグ１６２，１６２が記述される。また、この一対のリクエストタグ１６２，１６２の間には、そのリクエストがケーパビリティ（プリンタ４の有する機能の情報）の取得要求であることを示す一対のタグ１６３，１６３がはさまれている。
【００８１】
また、このゲットケーパビリティオペレーション１６１では、一対のタグ１６３，１６３の間に、取得したいケーパビリティ情報の種類がタグとして記述されている。図１４の例では、ファイルタイプのタグ１６５と、タグサポートの有無のタグ１６６とが記述されている。ファイルタイプとは、プリンタ４がダイレクト印刷によって扱い可能なファイルの種類を示す情報であり、タグサポートとは、プリンタ４が印刷メディア１１１のＲＦタグチップ１１２への読み書き可能であるか否かを示す情報である。
【００８２】
ＤＳＣ３のＰＴＰ通信部４２は、ゲットケーパビリティオペレーション１６１が入力されると、まず、そのオペレーションがファイルの送信を要求するオペレーション（以下、ファイル送信要求オペレーションと記載する。）であるか否かを判断する。ファイル送信要求オペレーションとは、その応答としてファイルの送信を要求するオペレーションである。
【００８３】
そして、ゲットケーパビリティオペレーション１６１はファイル送信要求オペレーションではないので、ＤＳＣ３のＰＴＰ通信部４２は、ゲットケーパビリティオペレーション１６１を、転送対象のデータとしてＤＳＣ３のＵＳＢスティルイメージクラス通信部４３へ出力する。
【００８４】
ＤＳＣ３のＵＳＢ通信Ｉ／Ｆ１９は、このＤＳＣ３のＵＳＢスティルイメージクラス通信部４３へ出力されたデータを、プリンタ４のＵＳＢ通信Ｉ／Ｆ８１へ送信する。プリンタ４のＵＳＢ通信Ｉ／Ｆ８１は、受信したデータをプリンタ４のＵＳＢスティルイメージクラス通信部１５６を介して、プリンタ４のＰＴＰ通信部１５５へ出力する。これにより、ゲットケーパビリティオペレーション１６１は、ＤＳＣ３のＰＴＰ通信部４２からプリンタ４のＰＴＰ通信部１５５へ送信される（図１２のステップＳ２）。
【００８５】
プリンタ４のＰＴＰ通信部１５５は、プリンタ４のＵＳＢスティルイメージクラス通信部１５６から入力されたデータがファイルのデータであるか否かを判断する。ゲットケーパビリティオペレーション１６１はファイルのデータではないので、プリンタ４のＰＴＰ通信部１５５は、ゲットケーパビリティオペレーション１６１をＯＰ解釈部１５１へ出力する。
【００８６】
ＰＴＰ通信部４２からオペレーションが入力されると、ＯＰ解釈部１５１は、そのオペレーションに対応付けられた処理を実行する。ゲットケーパビリティオペレーション１６１の場合には、ＯＰ解釈部１５１は、ゲットケーパビリティオペレーション１６１にて取得要求がなされているケーパビリティ情報を含むケーパビリティレスポンスを生成する。
【００８７】
図１５は、図４のＯＰ解釈部１５１が生成するケーパビリティレスポンス１７１を示す図である。ケーパビリティレスポンス１７１は、ＸＭＬ形式のテキストデータである。その中には、レスポンスであることを示す一対のレスポンスタグ１７２，１７２が記述される。また、この一対のレスポンスタグ１７２，１７２の間には、さらにそのレスポンスがゲットケーパビリティオペレーション１６１に対するものであることを示す一対のタグ１７３，１７３がはさまれている。
【００８８】
また、このケーパビリティレスポンス１７１では、一対のタグ１７３，１７３の間に、ゲットケーパビリティオペレーション１６１により問合せを受けたケーパビリティの情報がテキストデータとして記述される。図１５の例では、ファイルタイプのタグ１６５と、タグサポートの有無のタグ１６６とが記述されている。
【００８９】
さらに、各ケーパビリティの情報のタグの間には、プリンタ４がダイレクト印刷で対応可能な情報がテキストとして記述される。図１５の例では、プリンタ４がダイレクト印刷で対応しているファイルタイプに関する情報として「ＪＰＥＧ  ＷＡＶ」とのテキストデータ１７５が記述されている。「ＪＰＥＧ」は、ＪＰＥＧ形式に圧縮された画像データを格納した画像ファイルを取り扱うことができることを意味している。「ＷＡＶ」は、ＷＡＶ形式の音声ファイル２２を取り扱うことができることを意味している。また、図１５の例では、タグサポートの情報として「Ｒｅａｄ  Ｗｒｉｔｅ  １０２４」とのテキストデータ１７６が記述されている。「Ｒｅａｄ  Ｗｒｉｔｅ  １０２４」は、ＲＦタグチップ１１２へ１０２４ビットまでのデータを書き込んだり、ＲＦタグチップ１１２のデータを１０２４ビットまで読み出したりすることができることを意味している。
【００９０】
なお、ゲットケーパビリティオペレーション１６１で問合せを受けたケーパビリティの情報に対応する情報を作成できないときやそのケーパビリティの意味を解釈できないときには、たとえば、それぞれのケーパビリティの情報を示すタグの間に何のテキストも記述しないようにすればよい。
【００９１】
ケーパビリティレスポンス１７１を生成すると、プリンタ４のＯＰ解釈部１５１は、この生成したケーパビリティレスポンス１７１を、ＰＴＰ通信部１５５へ出力する。プリンタ４のＰＴＰ通信部１５５は、ケーパビリティレスポンス１７１を、プリンタ４のＵＳＢスティルイメージクラス通信部１５６、ＵＳＢ通信Ｉ／Ｆ８１、ＤＳＣ３のＵＳＢ通信Ｉ／Ｆ１９およびＵＳＢスティルイメージクラス通信部４３を介して、ＤＳＣ３のＰＴＰ通信部４２へ送信する（図１２のステップＳ３）。ＤＳＣ３のＰＴＰ通信部４２は、受信したケーパビリティレスポンス１７１を、印刷ＯＰ生成部４１へ出力する。
【００９２】
ケーパビリティレスポンス１７１が入力されると、ＤＳＣ３の印刷ＯＰ生成部４１は、ケーパビリティレスポンス１７１で取得したプリンタ４の情報を利用しながら、印刷に係る画像ファイルの選択処理と、各種の印刷条件の設定処理とを開始する（図１２のステップＳ４）。
【００９３】
具体的には、印刷ＯＰ生成部４１は、まず、ＪＰＥＧ形式に圧縮された画像データを格納するＥｘｉｆ画像ファイル２１を半導体メモリ２０から読み込んで、そのファイル名のリストを液晶モニタ１７に表示する。なお、印刷ＯＰ生成部４１は、半導体メモリ２０に記憶されているＥｘｉｆ画像ファイル２１のサムネイル画像を読み込み、このサムネイル画像のリストを液晶モニタ１７に表示するようにしてもよい。
【００９４】
入力デバイス１８は、そのキー操作に応じて入力データを出力する。印刷ＯＰ生成部４１は、液晶モニタ１７にファイル名のリストを表示している状態で入力される入力データに基づいて、リスト内の所定のＥｘｉｆ画像ファイル２１を、画像表示に係るＥｘｉｆ画像ファイル２１として選択する。
【００９５】
Ｅｘｉｆ画像ファイル２１を選択したら、印刷ＯＰ生成部４１は、印刷条件を液晶モニタ１７に表示する。なお、この液晶モニタ１７に表示される印刷条件は、ケーパビリティレスポンス１７１においてたとえばプリンタ４の印刷可能な用紙サイズなどの情報を取得している場合には、そのプリンタ４が対応している用紙サイズのみとする。また、印刷ＯＰ生成部４１は、液晶モニタ１７に印刷条件を表示している状態で入力される入力データに基づいて、印刷に使用する印刷条件を選択する。
【００９６】
これにより、印刷ＯＰ生成部４１は、印刷に係るＥｘｉｆ画像ファイル２１の選択処理と、各種の印刷条件の設定処理とを終了する。Ｅｘｉｆ画像ファイル２１および印刷条件の選択が完了したら、印刷ＯＰ生成部４１は、スタートプリントオペレーション５１を生成する。
【００９７】
印刷ＯＰ生成部４１が生成するスタートプリントオペレーション５１には、図５に示すように、選択したＥｘｉｆ画像ファイル２１のファイル名（またはファイルＩＤ）や、選択した印刷条件とともに、その選択したＥｘｉｆ画像ファイル２１のＥｘｉｆヘッダにファイル名が記述されている音声ファイル２２のファイル名などが含まれる。
【００９８】
なお、印刷ＯＰ生成部４１は、この音声ファイル２２のファイル名をスタートプリントオペレーション５１に含めるか否かを問い合わせる画面を液晶モニタ１７に表示し、その表示に応じて入力デバイス１８から含めるように指示があった場合にのみ、その音声ファイル２２のファイル名などの情報をスタートプリントオペレーション５１に含めるようにしてもよい。また、印刷ＯＰ生成部４１は、書込データの選択画面を液晶モニタ１７に表示し、その表示に応じて入力デバイス１８から指定されたデータを特定するための情報をスタートプリントオペレーション５１に含めるようにしてもよい。
【００９９】
また、印刷ＯＰ生成部４１は、生成したスタートプリントオペレーション５１をＰＴＰ通信部４２へ出力する。ＤＳＣ３のＰＴＰ通信部４２は、スタートプリントオペレーション５１をプリンタ４のＰＴＰ通信部１５５へ送信する（図１２のステップＳ５）。プリンタ４のＰＴＰ通信部１５５は、受信したスタートプリントオペレーション５１をＯＰ解釈部１５１へ出力する。
【０１００】
スタートプリントオペレーション５１が入力されると、ＯＰ解釈部１５１は、そのスタートプリントオペレーション５１に含まれるファイルの取得をファイル取得部１５４に指示するとともに、そのオペレーションに含まれる印刷条件を印刷制御部１５３へ出力する。
【０１０１】
ファイル取得部１５４は、図５のスタートプリントオペレーション５１に基づいて、そのオペレーションにて指定されるファイルＩＤ「０００００００１」のＥｘｉｆ画像ファイル２１と、ファイルＩＤ「０００００００２」の音声ファイル２２との取得処理を開始する。具体的には、ファイル取得部１５４は、まず、画像ファイルのファイルＩＤ「０００００００１」を指定して、ファイル送信要求オペレーションをＰＴＰ通信部１５５へ出力する。
【０１０２】
プリンタ４のＰＴＰ通信部１５５は、ファイルＩＤ「０００００００１」を指定したファイル送信要求オペレーションが入力されると、このファイル送信要求オペレーションをデータとして送信するのではなく、ＰＴＰで規定されているファイル送信要求コマンドを用いて、指定されたファイルＩＤ「０００００００１」のファイルの取得処理を開始する。具体的には、プリンタ４のＰＴＰ通信部１５５は、ゲットパーシャルオブジェクトあるいはゲットオブジェクトなどのＰＴＰで規定されているファイル送信要求コマンドを、ＤＳＣ３のＰＴＰ通信部４２へ送信する（図１２のステップＳ６）。
【０１０３】
ＤＳＣ３のＰＴＰ通信部４２は、ＰＴＰで規定されているファイル送信要求コマンドが入力されると、その要求されたファイルのデータを半導体メモリ２０から読み込む。ここでは、ＤＳＣ３のＰＴＰ通信部４２は、ファイルＩＤ「０００００００１」のＥｘｉｆ画像ファイル２１のデータを半導体メモリ２０から読み込む。そして、ＤＳＣ３のＰＴＰ通信部４２は、読み込んだＥｘｉｆ画像ファイル２１のデータを、プリンタ４のＰＴＰ通信部１５５へ送信する（図１２のステップ７）。プリンタ４のＰＴＰ通信部１５５は、受信したＥｘｉｆ画像ファイル２１のデータを、ファイル取得部１５４へ出力する。
【０１０４】
ファイルＩＤ「０００００００１」のＥｘｉｆ画像ファイル２１を取得し終えたら、ファイル取得部１５４は、音声ファイル２２のファイルＩＤ「０００００００２」を指定してファイル送信要求オペレーションをＰＴＰ通信部４２へ出力する。ＰＴＰ通信部４２は、ＰＴＰで規定されているファイル送信要求コマンドを、ＤＳＣ３のＰＴＰ通信部４２へ送信し（図１２のステップＳ８）、その応答として音声ファイル２２のデータを受信する（図１２のステップＳ９）。このようなファイル毎の取得処理を繰り返すことで、ファイル取得部１５４は、スタートプリントオペレーション５１に基づいてファイル取得部１５４に指定されたファイルのデータを取得する。
【０１０５】
また、ファイル取得部１５４は、Ｅｘｉｆ画像ファイル２１のデータを取得したら、そのＥｘｉｆ画像ファイル２１の画像データをデコーダ１５２へ出力する。デコーダ１５２は、このＪＰＥＧ形式に符号化された画像データをデコードする。また、デコーダ１５２は、デコードした画像データを印刷制御部１５３へ出力する。
【０１０６】
また、ファイル取得部１５４は、Ｅｘｉｆ画像ファイル２１以外のデータ（ここでは音声ファイル２２のデータ）を取得したら、そのデータを書込データとして印刷制御部１５３へ出力する。
【０１０７】
印刷制御部１５３は、デコーダ１５２から画像データが入力されると、図１３に示すように、印刷処理を実行する。まず、印刷制御部１５３は、ＲＦタグチップ１１２への書込データが画像ファイルとともに供給されているか否かを判定する（ステップＳ１１）。
【０１０８】
書込データが無い場合、印刷制御部１５３は、給紙機構７６へ給紙指示を出力する（ステップＳ１２）。その指示に応じて、給紙機構７６は、給紙ローラ９２を動作させる。これにより、給紙トレイ９１上の印刷メディア１１１は、供給ローラ対９３に供給される。
【０１０９】
印刷メディア１１１が供給ローラ対９３に供給されると、印刷制御部１５３は、インク吐出機構７７へ画像データに基づくインク吐出制御を開始する（ステップＳ１３）。具体的には、印刷制御部１５３は、供給ローラ対９３を回転させて印刷メディア１１１を印刷位置に供給し、その後、キャリッジ１０２をキャリッジレール１０１の長さ方向に移動させながら、画像データに基づいてインク吐出ノズル１０４からのインクの吐出を制御する。これにより、印刷メディア１１１には、キャリッジ１０２の１走査分の画像が印刷される。
【０１１０】
キャリッジ１０２の１走査分の画像を印刷したら、印刷制御部１５３は、供給ローラ対９３を回転させて印刷メディア１１１を所定の量だけ送る。その後、印刷制御部１５３は、画像データに基づく次の１走査分のインク吐出制御を実行する。
【０１１１】
このように、印刷制御部１５３は、用紙送り制御と画像データに基づくインク吐出制御とを同期して実行することで、印刷位置に給紙されている印刷メディア１１１に、画像データに基づく画像を印刷する。
【０１１２】
また、印刷処理が完了すると（ステップＳ１４）、印刷制御部１５３は、給紙機構７６へ排紙指示を出力する（ステップＳ１５）。その指示に応じて、給紙機構７６は、排紙ローラ対９５を回転させて、印刷位置から排紙トレイ９６へ印刷メディア１１１を搬送する。これにより、ＤＳＣ３で選択したＥｘｉｆ画像ファイル２１の画像が印刷された印刷メディア１１１を得ることができる。
【０１１３】
一方、ファイル取得部１５４からの書込データがある場合（ステップＳ１１においてＹｅｓの場合）、印刷制御部１５３は、ＲＦタグリーダライタ７８からの電波の送信を開始するとともに、給紙トレイ９１上の印刷メディア１１１を供給ローラ対９３に供給する（ステップＳ１６）。供給ローラ対９３に供給された印刷メディア１１１のＲＦタグチップ１１２は、ＲＦタグリーダライタ７８からの電波を受信し、この電波の電力で動作を開始する。
【０１１４】
印刷メディア１１１のＲＦタグチップ１１２がデータ通信可能になったと予想されるタイミングで、印刷制御部１５３は、ＲＦタグリーダライタ７８に、ＲＦタグチップ１１２を検出するための検出信号を送信させる（ステップＳ１７）。ＲＦタグリーダライタ７８からの電波で動作しているＲＦタグチップ１１２は、この検出信号を受信する。また、そのＲＦタグチップ１１２のプロセッサは、この検出信号の受信に応じて、メモリから自分のＩＤ番号を読み込んで送信する。
【０１１５】
ＲＦタグリーダライタ７８は、ＲＦタグチップ１１２からのＩＤ番号を受信する。ＲＦタグリーダライタ７８がこのＩＤ番号を受信すると、印刷制御部１５３は、印刷メディア１１１の確認処理を開始する（ステップＳ１８）。具体的には、印刷制御部１５３は、まず、ＲＦタグリーダライタ７８に印刷メディア１１１の情報の取得要求を送信させ、その応答としてＲＦタグチップ１１２から送信される印刷メディア１１１の製造者、製品名、用紙サイズ（Ａ４など）、用紙タイプ（光沢紙など）などの情報を取得する。
【０１１６】
次に、印刷制御部１５３は、ＲＦタグチップ１１２から受信した印刷メディア１１１の情報と、図５のスタートプリントオペレーション５１に基づいてＯＰ解釈部１５１が指定した印刷条件とを比較する。そして、印刷メディア１１１の情報がたとえば用紙のサイズや種類などの印刷条件に一致する場合には、正しい用紙であると判断し、それ以外の場合には、正しい用紙ではないと判断する。そして、正しい用紙ではないと判断したら、印刷制御部１５３は、用紙が印刷条件に一致していないことを示すワーニングを表示部７９に表示する（ステップＳ１９）。
【０１１７】
なお、印刷制御部１５３は、用紙の判定とともにＲＦタグチップ１１２の容量と書込データのデータ量とを比較し、印刷メディア１１１の情報が印刷条件に一致し且つ書込データ量が容量以下である場合に、正しい用紙であると判断するようにしてもよい。
【０１１８】
正しい用紙であると判断した場合には、印刷制御部１５３は、インク吐出機構７７および給紙機構７６による印刷処理を制御するとともに、ＲＦタグリーダライタ７８へ書込データ（図５の場合には、音声ファイル２２のデータ）を出力する（ステップＳ２０）。ＲＦタグリーダライタ７８は、ＲＦタグチップ１１２へこの書込データを送信する。ＲＦタグチップ１１２は、書込データをメモリのユーザデータ領域１３２に格納する。これにより、ＲＦタグチップ１１２には、音声ファイル２２のデータが保存される。
【０１１９】
そして、印刷制御部１５３は、インク吐出機構７７および給紙機構７６による印刷処理が完了し（ステップＳ２１）、且つ、書込データの書込み処理が完了したら（ステップＳ２２）、排紙ローラ対９５を回転させて、印刷位置にある印刷メディア１１１を排紙トレイ９６へ排出する（ステップＳ２３）。これにより、ＤＳＣ３で選択したＥｘｉｆ画像ファイル２１の画像が印刷され、且つ、ＲＦタグチップ１１２に音声ファイル２２のデータが書き込まれた印刷メディア１１１を得ることができる。
【０１２０】
なお、印刷メディア１１１の用紙情報が印刷条件に一致しないために表示部７９にワーニングを表示した場合（ステップＳ１９）において、操作部８０から印刷続行の指示が入力された場合には、印刷制御部１５３は、供給ローラ対９３を回転し、正しい用紙である場合と同様の印刷処理および書込処理（ステップＳ２０〜２３）を実行する。
【０１２１】
また、表示部７９にワーニングを表示した場合（ステップＳ１９）において、操作部８０から印刷中止の指示が入力された場合には、印刷制御部１５３は、供給ローラ対９３および排紙ローラ対９５を回転して、供給ローラ対９３に供給されている印刷メディア１１１を排紙トレイ９６へ排出する（ステップＳ２３）。この場合、排紙トレイ９６へ排出された印刷メディア１１１には、印刷および書込みはなされていない。
【０１２２】
以上のように、この実施の形態１のダイレクト印刷システム１では、ＤＳＣ３においてＥｘｉｆ画像ファイル２１および書込データとしての音声ファイル２２を選択し、プリンタ４において、このＥｘｉｆ画像ファイル２１の画像を印刷メディア１１１に印刷し、且つ、その印刷メディア１１１のＲＦタグチップ１１２に、書込データを書き込むことができる。したがって、印刷することができない音声ファイル２２のデータを、印刷画像と関連付けて印刷メディア１１１に持たせることができる。
【０１２３】
また、この実施の形態１のダイレクト印刷システム１では、印刷メディア１１１のＲＦタグチップ１１２に予め書き込まれている印刷メディア１１１に関する情報と、スタートプリントオペレーションの印刷指示内容とを比較し、一致しない場合にはワーニングを出して印刷処理を中断することができるので、印刷指示とは異なる印刷メディア１１１へ誤って印刷してしまうことを防止すること（印刷失敗の回避）ができる。
【０１２４】
さらに、この実施の形態１のダイレクト印刷システム１では、給紙トレイ９１から排紙トレイ９６へ印刷メディア１１１を搬送している間に、その印刷メディア１１１に対する画像の印刷とＲＦタグチップ１１２へのデータ書込みを行う。したがって、給紙トレイ９１や排紙トレイ９６に他の印刷メディア１１１が載置されていたとしても、ＲＦタグリーダライタ７８から離れているため、給紙トレイ９１や排紙トレイ９６内の印刷メディア１１１のＲＦタグチップ１１２はＲＦタグリーダライタ７８に応答せず、搬送経路において印刷する印刷メディア１１１のＲＦタグチップ１１２に対してのみデータを書き込むことができる。
【０１２５】
次に、再生システム２について説明する。この再生システム２は、印刷メディア１１１のＲＦタグチップ１１２に記録された音声ファイルの音声を再生する。
【０１２６】
図１６は、本発明の実施の形態１に係る再生システム２の構成を示す図である。再生システム２は、再生装置としてのフォトスタンド６と、別の再生装置としてのパーソナルコンピュータ７とを有する。フォトスタンド６とパーソナルコンピュータ７とは、ＵＳＢケーブル８にて接続される。
【０１２７】
フォトスタンド６は、載置台としての平板形状の展示パネル１８１と、展示パネル１８１の裏側から突出する脚部１８２とを有する。展示パネル１８１には、印刷メディア１１１をセットすることができる。フォトスタンド６は、この展示パネル１８１に印刷メディア１１１をセットすることで、印刷メディア１１１に印刷された画像などを立てて展示することができる。
【０１２８】
図１７は、フォトスタンド６のハードウェア構成を示す図である。この電気回路は、展示パネル１８１の裏面に配設される。フォトスタンド６の電気回路は、プログラムを実行する中央処理装置（ＣＰＵ）１９１と、実行するプログラムやデータを記憶するＲＡＭ１９３と、プログラムを記憶するフラッシュメモリ１９２と、Ｉ／Ｏポート１９４と、これらを接続するシステムバス１９５とを有する。フォトスタンド６のＩ／Ｏポート１９４には、ＲＦタグリーダライタ１９６と、音声生成機器としてのスピーカ１９７と、再生ボタン１８４を有する操作部１９８と、送信機器としてのＵＳＢ通信Ｉ／Ｆ１９９とが接続される。
【０１２９】
図１７に示すこれらの電気回路は、展示パネル１８１の裏面下側に配設される。そして、操作部の再生ボタン１８４は、図１６に示すように、展示パネル１８１の下部に形成された穴を貫通して、展示パネル１８１の表面側に露出している。
【０１３０】
図１８は、図１７中のフラッシュメモリ１９２の記憶内容を示す図である。図１９は、図１６のフォトスタンド６に実現される機能を示すブロック図である。図２０は、図１６の再生システム２に実現される機能を示すブロック図である。
【０１３１】
図１８に示すように、フォトスタンド６のフラッシュメモリ１９２には、音声再生プログラム２０１と、ＵＳＢマスストレージクラスプログラム２０２とが格納される。
【０１３２】
図１８の音声再生プログラム２０１は、中央処理装置１９１に実行されることで、読出手段および再生手段としての図１９の音声再生部２１１を実現する。そして、音声再生部２１１は、ＲＦタグチップ１１２から音声ファイル２１２のデータを読み込み、読み込んだ音声データに基づく音声信号を生成する。
【０１３３】
図１８のＵＳＢマスストレージクラスプログラム２０２は、中央処理装置１９１に実行されることで、図２０に示すＵＳＢマスストレージクラス通信部２２１を実現する。ＵＳＢマスストレージクラス通信部２２１は、ＵＳＢホストとの間でデータを送受する。ＵＳＢマスストレージクラス通信部２２１は、後述するパーソナルコンピュータ７のＵＳＢマスストレージクラス通信部２５２との間で、データやファイルを送受する。
【０１３４】
図２１は、図１６中のパーソナルコンピュータ７のハードウェア構成を示す図である。パーソナルコンピュータ７は、中央処理装置２３１と、中央処理装置２３１がプログラムの実行の際にプログラムやデータの一時記憶に利用するＲＡＭ２３２と、Ｉ／Ｏポート２３３と、これらを接続するシステムバス２３４とを有する。パーソナルコンピュータ７のＩ／Ｏポート２３３には、記憶部２３５と、キーボード２３６と、スピーカ２３７と、モニタ２３８と、受信手段としてのＵＳＢ通信Ｉ／Ｆ２３９とが接続される。
【０１３５】
パーソナルコンピュータ７のＵＳＢ通信Ｉ／Ｆ２３９は、フォトスタンド６のＵＳＢ通信Ｉ／Ｆ１９９と同様の機能を有するものであり、その説明を省略する。ただし、パーソナルコンピュータ７のＵＳＢ通信Ｉ／Ｆ２３９は、ＵＳＢホストとして機能し、フォトスタンド６のＵＳＢ通信Ｉ／Ｆ１９９は、ＵＳＢデバイスとして機能する。
【０１３６】
図２２は、図２１中のパーソナルコンピュータ７の記憶部２３５の記憶内容を示す図である。パーソナルコンピュータ７の記憶部２３５には、音声再生プログラム２４１と、ＵＳＢマスストレージクラスプログラム２４２とが記憶される。以下、図２０を参照しつつ、これらのプログラムについて説明する。
【０１３７】
音声再生プログラム２４１は、中央処理装置２３１に実行されることで、再生手段としての図２０に示す音声再生部２５１を実現する。音声再生部２５１は、音声ファイル２１２の音声データに基づいて音声信号を生成する。
【０１３８】
ＵＳＢマスストレージクラスプログラム２４２は、中央処理装置２３１に実行されることでＵＳＢマスストレージクラス通信部２５２を実現する。これは、図１８に基づいてフォトスタンド６に実現される同名のものと同じ機能を奏するものであり、説明を省略する。ただし、フォトスタンド６のＵＳＢマスストレージクラス通信部１９９は、ＵＳＢデバイスとして機能し、パーソナルコンピュータ７のＵＳＢマスストレージクラス通信部２５２は、ＵＳＢホストとして機能する。
【０１３９】
次に、以上のような構成を有する再生システム２の再生時の動作を説明する。再生システム２の再生動作には、フォトスタンド６での再生動作と、パーソナルコンピュータ７での再生動作とがある。
【０１４０】
まず、フォトスタンド６での再生動作について説明する。フォトスタンド６では、図１９に示すように、音声再生部２１１が実現される。
【０１４１】
図２３は、図１９中の音声再生部２１１による再生処理の流れを示すフローチャートである。
【０１４２】
音声再生部２１１は、再生ボタン１８４への押下操作に基づいて操作部１８３から再生指示が入力されると、ＲＦタグリーダライタ１９６からの電波の送信を開始する。展示パネル１８１にセットされた印刷メディア１１１のＲＦタグチップ１１２は、このＲＦタグリーダライタ１９６からの電波を受信し、この電波の電力で動作を開始する。
【０１４３】
そして、音声再生部２１１は、ＲＦタグリーダライタ１９６からＲＦタグチップ１１２へ検出信号を送信させ、その応答としてＲＦタグチップ１１２のＩＤ番号を受信する。
【０１４４】
ＲＦタグチップ１１２のＩＤ番号を取得したら、音声再生部２１１は、ＲＦタグチップ１１２のメモリ１２２のユーザデータ領域１３２から音声ファイル２１２のデータを読み込む。そして、音声再生部２１１は、読み込んだ音声データに基づく音声信号を生成し、その生成した音声信号をスピーカ１９７へ出力する。スピーカ１９７は、この音声信号に基づく音声を生成する。
【０１４５】
このように、フォトスタンド６は、その再生ボタン１８４が操作されることで、展示パネル１８１にセットされた印刷メディア１１１のＲＦタグチップ１１２に格納された音声ファイル２１２の音声データに基づく音声を再生することができる。
【０１４６】
次に、パーソナルコンピュータ７での再生動作について説明する。
【０１４７】
図２４は、図１６の再生システム２による再生処理の流れを示すフローチャートである。再生システム２による再生時には、フォトスタンド６のＵＳＢ通信Ｉ／Ｆ１９９とパーソナルコンピュータ７のＵＳＢ通信Ｉ／Ｆ２３９とがＵＳＢケーブル８で接続される。そして、図２０に示すように、フォトスタンド６では、ＵＳＢマスストレージクラス通信部２２１とが実現される。また、パーソナルコンピュータ７では、音声再生部２５１と、ＵＳＢマスストレージクラス通信部２５２とが実現される。
【０１４８】
図２４に示すように、フォトスタンド６とパーソナルコンピュータ７とは、コネクションを確立する（ステップＳ４１）。このフォトスタンド６とパーソナルコンピュータ７とのコネクションは、ダイレクト印刷システム１のＤＳＣ３とプリンタ４とが確立するコネクションと同様のものであり、その説明を省略する。
【０１４９】
コネクションが確立した後、パーソナルコンピュータ７の音声再生部２５１は、ＵＳＢマスストレージクラス通信部２５２に、ドライブ情報の取得を指示する。パーソナルコンピュータ７のＵＳＢマスストレージクラス通信部２５２は、ドライブ情報の取得要求をフォトスタンド６のＵＳＢマスストレージクラス通信部２２１へ送信する（ステップＳ４２）。
【０１５０】
ドライブ情報の取得要求を受信すると、フォトスタンド６のＵＳＢマスストレージクラス通信部２２１は、ＲＦタグリーダライタ１９６を介してＲＦタグチップ１１２のメモリ１２２に関する情報を取得する。そして、フォトスタンド６のＵＳＢマスストレージクラス通信部２２１は、取得したメモリ１２２に関する情報を、ドライブ情報としてパーソナルコンピュータ７のＵＳＢマスストレージクラス通信部２５２へ送信する。パーソナルコンピュータ７のＵＳＢマスストレージクラス通信部２５２は、受信したドライブ情報を音声再生部２５１へ出力する。
【０１５１】
キーボード２３６は、そのキー操作に応じた入力データを出力する。そして、キーボード２３６からＲＦタグチップ１１２のメモリに格納されているデータの表示指示が入力されると、音声再生部２５１は、ＵＳＢマスストレージクラス通信部２５２，２２１を介して、ＲＦタグチップ１１２のメモリ１２２に記憶されているファイルのリストを取得する。そして、音声再生部２５１は、このパーソナルコンピュータ７のＰＴＰ通信部２２１が受信したリストをモニタ２３８へ出力する。モニタ２３８は、このファイル名のリストを表示する。
【０１５２】
また、音声再生部２５１は、キーボード２３６の入力データに基づいて音声ファイル２１２のファイル名を選択すると、パーソナルコンピュータ７のＵＳＢマスストレージクラス通信部２５２を使用して、その音声ファイル２１２のデータを取得する。パーソナルコンピュータ７のＵＳＢマスストレージクラス通信部２５２は、受信したデータを音声再生部２５１へ出力する。
【０１５３】
そして、音声再生部２５１は、このパーソナルコンピュータ７のＵＳＢマスストレージクラス通信部２５２が受信した音声ファイル２１２のデータに基づいて音声信号を生成し、この生成した音声信号をスピーカ２３７へ出力する。スピーカ２３７は、この音声信号に基づく音声を生成する。
【０１５４】
このように、再生システム２のパーソナルコンピュータ７は、キーボード２３６の操作に基づいて、フォトスタンド６の展示パネル１８１にセットされた印刷メディア１１１のＲＦタグチップ１１２から音声ファイル２１２の音声データを読み込み、その音声データに基づく音声を再生することができる。
【０１５５】
なお、この実施の形態１では、ダイレクト印刷システム１は、印刷メディア１１１のＲＦタグチップ１１２に音声ファイル２１２のデータを書き込んでいる。この他にもたとえば、ＲＦタグチップ１１２には、印刷するＥｘｉｆ画像ファイル２１の画像データそのもの、Ｅｘｉｆ画像ファイル２１のファイル名やファイルサイズのデータ、画像データのフォーマット情報（たとえばＪＰＥＧ、ビットマップなど）のデータ、画像サイズなどの画像のデータ、Ｅｘｉｆ画像ファイル２１のＥｘｉｆヘッダのデータ、撮像場所などを示すＧＰＳ（Ｇｌｏｂａｌ  Ｐｏｓｉｔｉｏｎｉｎｇ  Ｓｙｓｔｅｍ）データ、画像データを印刷するためのスタートプリントオペレーションのデータ、ＤＳＣ３で画像を撮像したときの撮像条件のデータ、画像ファイルに関連付けられている音声ファイル２１２以外のファイルのデータ、画像を印刷した日時のデータ、画像印刷時にプリンタ４が処理した画像のエフェクト処理（たとえばＡＰＦ（Ａｕｔｏ  Ｐｈｏｔｏ  Ｆｉｎｅ）処理やＰＩＭ（Ｐｒｉｎｔ  Ｉｍａｇｅ  Ｍａｔｃｈｉｎｇ）処理の有無、ＡＰＦ処理やＰＩＭ処理で使用したパラメータなど）の内容を示すデータ、プリンタ４で判断あるいは使用した印刷条件（たとえばインクの吐出量のパラメータ）のデータ、プリンタ４の製品名、型番などのプリンタ４を特定するためのデータ、プリンタ４やＤＳＣ３の所有者や印刷した人の名前のデータなどを書込んでもよい。
【０１５６】
また、この実施の形態１では、再生システム２は、印刷メディア１１１のＲＦタグチップ１１２に格納された音声ファイル２１２のデータを再生している。この他にもたとえば、そのＲＦタグチップ１１２に画像ファイルの画像データやＥｘｉｆヘッダのデータを格納し、再生システム２のパーソナルコンピュータ７は、この画像データやＥｘｉｆヘッダのデータをモニタ２３８に再生するようにしてもよい。また、フォトスタンド６に、液晶モニタを設け、画像データやＥｘｉｆヘッダのデータを再生するようにしてもよい。
【０１５７】
さらに、ダイレクト印刷システム１は、印刷メディア１１１のＲＦタグチップ１１２に音声ファイル２１２などのファイル名をデータとして書込み、再生システム２は、そのファイル名に基づいてパーソナルコンピュータ７に記憶されているファイルを選択し、そのファイルのデータを再生するようにしてもよい。
【０１５８】
実施の形態２．
図２５は、本発明の実施の形態２に係る複合機を示す斜視図である。図２６は、図２５に示す複合機のハードウェア構成を示す図である。この複合機は、スキャナとプリンタを有し、さらに、印刷メディア１１１のＲＦタグチップ１１２のデータを用いて、その印刷メディア１１１に印刷されている画像を別の印刷メディア１１１に印刷する装置である。
【０１５９】
図２５に示す複合機は、図２６に示すように、中央処理装置２６１、フラッシュメモリ２６２、ＲＡＭ２６３、Ｉ／Ｏポート２６４、およびシステムバス２６５を有する。複合機のＩ／Ｏポート２６４には、画像読取手段としてのスキャナユニット２６６と、データ読取手段としてのＲＦタグリーダライタ２６７と、印刷手段としてのプリントエンジン２６８と、表示部２６９と、操作部２７０とが接続される。
【０１６０】
スキャナユニット２６６は、印刷メディア１１１が載置される図示外の原稿読取台と、原稿読取台に載置された印刷メディア１１１の画像を読み取る図示外のＣＣＤと、を有する。スキャナユニット２６６は、図２５に示す複合機の上部に設けられる。
【０１６１】
ＲＦタグリーダライタ２６７は、実施の形態１のプリンタ４に設けられているものと同じ機能を有するものである。ただし、ＲＦタグリーダライタ２６７は、スキャナユニット２６６の原稿読取台に載置される印刷メディア１１１のＲＦタグチップ１１２と無線通信することで、ＲＦタグチップ１１２からデータを読み込む。
【０１６２】
プリントエンジン２６８は、図示外の給紙機構と、インク吐出機構とを有する。この給紙機構およびインク吐出機構は、実施の形態１のプリンタ４に設けられている同名のものと同じ機能を有するものである。そして、給紙機構は、図２５中の給紙トレイ２７１から排紙トレイ２７２へ印刷メディア１１１を搬送する。インク吐出機構は、その搬送途中において、印刷メディア１１１に対してインクを吐出する。
【０１６３】
表示部２６９は、図２５に示すように、複合機の上部前面側に配設されている。
【０１６４】
操作部２７０は、操作ボタン２７３を有する。この操作ボタン２７３は、図２５に示すように、複合機の上部前面側に配設されている。
【０１６５】
図２７は、図２６中のフラッシュメモリ２６２の記憶内容を示す図である。図２８は、図２５の複合機に実現される機能を示すブロック図である。
【０１６６】
図２７に示すように、複合機のフラッシュメモリ２６２には、印刷制御プログラム２８１が記憶される。印刷制御プログラム２８１は、中央処理装置２６１に実行されることで、印刷制御手段としての図２８に示す印刷制御部２９１を実現する。印刷制御部２９１は、スキャナユニット２６６で読み取った画像を、プリントエンジン２６８を用いて印刷メディア１１１に印刷する。
【０１６７】
次に、以上のような構成を有する複合機の動作を説明する。
【０１６８】
この動作の説明では、スキャナユニット２６６の原稿読取台には、実施の形態１のダイレクト印刷システム１により画像が印刷された印刷メディア１１１が載置されるものとする。また、この印刷メディア１１１のＲＦタグチップ１１２には、その画像を印刷するときに使用した画像の印刷条件に関するデータが記憶されているものとする。
【０１６９】
印刷条件に関するデータとしては、たとえば、その画像を印刷させるためのスタートプリントオペレーション、印刷する画像の撮像日付、印刷する画像のレイアウト情報などがある。この他にもたとえば、印刷条件に関するデータは、実施の形態１のダイレクト印刷システム１のプリンタ４がスタートプリントオペレーションを受信してから、プリンタ４の印刷制御１５３が印刷メディア１１１に画像を印刷するまでに生成あるいは使用した印刷パラメータであってもよい。プリンタ４がスタートプリントオペレーションを受信してから、プリンタ４の印刷制御１５３が印刷メディア１１１に画像を印刷するまでに生成あるいは使用した印刷パラメータとしては、たとえば、画像の色合いを調整するＡＰＦ処理やＰＩＭ処理で使用したパラメータなどがある。
【０１７０】
操作部２７０の操作ボタン２７３がコピーのために操作されると、印刷制御部２９１は、スキャナユニット２６６へ画像読取を指示する。スキャナユニット２６６は、原稿読取台に載置されている印刷メディア１１１の画像を読み取り、読み取った画像のデータを印刷制御部２９１へ出力する。
【０１７１】
また、印刷制御部２９１は、ＲＦタグリーダライタ２６７に、データ読取を指示する。ＲＦタグリーダライタ２６７は、電波の出力を開始し、原稿読取台に載置されている印刷メディア１１１のＲＦタグチップ１１２からデータを読み取り、この読み取ったデータを印刷制御部２９１へ出力する。
【０１７２】
ＲＦタグチップ１１２から読み取ったデータが入力されると、印刷制御部２９１は、そのデータに含まれている印刷条件に関するデータを用いた各種の処理を実行する。具体的にはたとえば、ＲＦタグチップ１１２から読み取ったデータに、画像の加工に関するデータが含まれている場合には、印刷制御部２９１は、そのデータを用いて画像データの画像を加工する。また、ＲＦタグチップ１１２から読み取ったデータに、印刷の際にプリントエンジンが使用した印刷パラメータが含まれている場合には、印刷制御部２９１は、その印刷パラメータをプリントエンジン２６８に設定する。
このようなＲＦタグチップ１１２の印刷条件のデータに基づく処理をした後、印刷制御部２９１は、加工した画像データに基づいて、プリントエンジン２６８を用いて印刷を行う。これにより、プリントエンジン２６８は、スキャナユニット２６６が読み取った画像を、ＲＦタグチップ１１２の印刷条件のデータの元で、別の印刷メディア１１１に印刷する。
【０１７３】
以上のように、この実施の形態２に係る複合機は、画像が印刷された印刷メディア１１１のＲＦタグチップ１１２から、その画像を印刷する際に使用した印刷条件のデータを読み出し、その読み出した印刷条件のデータを用いて別の印刷メディア１１１に同じ画像を印刷することができる。
【０１７４】
なお、この実施の形態２では、スキャナユニット２６６とプリントエンジン２６８とを有する複合機に、ＲＦタグチップ１１２のデータを読み取る機能を設けることで、再生装置を実現している。この他にもたとえば、スキャナユニット２６６を有する読取装置とプリンタとをＵＳＢケーブルなどで接続するシステムに、ＲＦタグチップ１１２のデータを読み取る機能を設けることで、再生装置を実現するようにしてもよい。また、この読取装置とプリンタとの間にパーソナルコンピュータを介在させるようにしてもよい。
【０１７５】
また、この実施の形態２では、印刷制御部２９１は、プリントエンジン２６８を使用して別の印刷メディア１１１に画像のみを形成しているが、ＲＦタグリーダライタ２６７あるいは別のＲＦタグリーダライタを用いて、その別の印刷メディア１１１のＲＦタグチップ１１２に、読み取った印刷条件などのデータを書き込むようにしてもよい。
【０１７６】
さらに、この実施の形態２では、印刷制御部２９１は、スキャナユニット２６６から読み取った画像を別の印刷メディア１１１に印刷している。この他にもたとえば、複合機に半導体メモリ２０からＥｘｉｆ画像ファイル２１を読み取るカードリーダを設け、印刷制御部２９１は、スキャナユニット２６６から読み取った画像の元画像のデータをこのカードリーダに挿入されている半導体メモリ２０から読み取り、この半導体メモリ２０から読み取ったＥｘｉｆ画像ファイル２１の画像データを、ＲＦタグチップ１１２から読み取った印刷条件を用いて印刷するようにしてもよい。
【０１７７】
実施の形態３．
本発明の実施の形態３では、ダイレクト印刷システムに使用するプリンタ４の構成および印刷時の動作が変更されている以外は、実施の形態１と同様である。以下、変更されたプリンタ４の構成と、スタートプリントオペレーションに基づくプリンタ４の印刷時の動作について説明する。
【０１７８】
図２９は、本発明の実施の形態３に係るプリンタ４の内部構造を示す透過上面図である。プリンタ４は、給紙トレイ９１から排紙トレイ５６へ印刷メディア１１１を搬送するための基準経路３１１が設定されている。給紙トレイ９１に載置された印刷メディア１１１は、その一辺がその基準経路３１１上を移動するようにして、排紙トレイ５６まで搬送される。
【０１７９】
そして、プリンタ４のＲＦタグリーダライタ３１２は、プラテン９４の下において、その基準経路３１１に対応する位置に配設されている。これにより、ＲＦタグリーダライタ３１２は、印刷位置の基準経路３１１寄りの部位（図２９において点線で囲んだ範囲内。以下、電波の照射範囲内とよぶ）のみに電波を出力することになる。
【０１８０】
図３０は、図２９中の給紙トレイ９１に印刷メディア１１１を裏返しにセットした状態を示す説明図である。このように印刷メディア１１１は、裏返しにセットされると、その先端部が印刷位置に給紙されたとしても、ＲＦタグリーダライタ３１２の電波の照射範囲内にＲＦタグチップ１１２が位置しなくなる。
【０１８１】
次に、スタートプリントオペレーションに基づくプリンタ４の印刷時の動作について説明する。
【０１８２】
図３１は、プリンタ４の印刷制御部１５３の処理を示すフローチャートである。スタートプリントオペレーションに基づく印刷指示が印刷ＯＰ解釈部１５１から入力され、デコーダ１５２から画像データが入力され、さらに、ファイル取得部１５４から書込データが入力されると、印刷制御部１５３は、印刷処理を開始する。
【０１８３】
印刷制御部１５３は、まず、ステップＳ１１において書込データが有ると判断し、ＲＦタグリーダライタ３１２からの電波の送信を開始するとともに、給紙トレイ９１上の印刷メディア１１１を供給ローラ対９３に供給する（ステップＳ１６）。これにより、電波の照射範囲内に印刷メディア１１１のＲＦタグチップ１１２が位置すれば、そのＲＦタグチップ１１２は、動作を開始する。
【０１８４】
また、印刷制御部１５３は、ＲＦタグチップ１１２を検出するための検出信号を送信する（ステップＳ６１）。また、印刷制御部１５３は、印刷メディア１１１の給紙量が、そのＲＦタグチップ１１２が電波の照射範囲内に到達する所定量以上になったか否かを判断し（ステップＳ６２）、その給紙量が所定量以上となるまで、検出信号の送信を継続する（ステップＳ６１）。
【０１８５】
そして、印刷メディア１１１の給紙量が所定量以上となる前に、ＲＦタグチップ１１２からのＩＤ番号を受信すると、印刷制御部１５３は、印刷メディア１１１の確認処理を実行してから（ステップＳ１８）、印刷処理および書込処理を実行する（ステップＳ２０〜Ｓ２３）。また、印刷メディア１１１の確認処理において印刷メディア１１１が正しいものであると判断できない場合には、その旨のワーニング表示をする（ステップＳ１９）。続行の指示入力があると（ステップＳ２４）、印刷制御部１５３は、印刷処理および書込処理を実行する（ステップＳ２０〜Ｓ２３）。一方、続行の指示がない場合は、印刷メディア１１１は排紙される（ステップＳ２３）。
【０１８６】
また、印刷メディア１１１の給紙量が所定量以上となった場合には、印刷制御部１５３は、用紙が裏返しであることを通知するワーニングを表示部７９に表示し（ステップＳ６３）、印刷メディア１１１を排紙トレイ９６へ排出する（ステップＳ２３）。これにより、印刷メディア１１１が図３０に示すように、裏返しに給紙トレイ９１に載置した場合には、その印刷メディア１１１の裏面に誤って印刷や書込みをすることなく、排紙トレイ５６へ排出し、印刷メディア１１１の無駄を予防することができる。
【０１８７】
この実施の形態３に係るダイレクト印刷システム１では、たとえば印刷メディア１１１が裏返しに搬送された結果として、印刷メディア１１１のＲＦタグチップ１１２がその電波の照射部位を通過しないような場合には、その印刷メディア１１１に対する印刷や書込みを中止することができる。
【０１８８】
なお、この実施の形態３の印刷メディア１１１は、用紙の対向する２つの角の近傍にＲＦタグチップ１１２が１つずつ埋め込まれており、プリンタ４のＲＦタグリーダライタ３１２は、印刷メディア１１１の基準経路３１１側においてＲＦタグチップ１１２が検出できるか否かに基づいて、用紙の裏表を判定している。この他にもたとえば、プリンタ４に、その基準経路３１１側においてＲＦタグチップ１１２を検出するＲＦタグリーダライタ３１２と、基準経路３１１の反対側においてＲＦタグチップ１１２を検出するＲＦタグリーダライタとを設け、基準経路３１１側のＲＦタグリーダライタ３１２がＲＦタグチップ１１２を検出した場合には正しく用紙がセットされていると判断し、基準経路３１１側の反対側のＲＦタグリーダライタがＲＦタグチップ１１２を検出した場合には正しく用紙がセットされていないと判断するようにしてもよい。このような変形例の場合には、さらに、どちらのＲＦタグリーダライタ３１２もＲＦタグチップ１１２を検出しない場合には、用紙が異なることを区別することができ、その区別に基づいて用紙違いの警告をすることができる。
【０１８９】
また、上記実施の形態３では、ＲＦタグチップ１１２が検出された場合のみ、印刷を行っているが、その代わりに、ＲＦタグチップ１１２が検出されかつ印刷メディア１１１が裏返しである場合のみ印刷しないようにしてもよい。このようにすることで、ＲＦタグチップ１１２が埋め込まれていない用紙でも印刷が従来通り可能となる。
【０１９０】
以上の各実施の形態は、本発明の好適な実施の形態の例であるが、本発明はこれらに限定されるものではなく、種々の変形、変更が可能である。
【０１９１】
たとえば、各実施の形態では、ＤＳＣ３とプリンタ４とを直接に接続したダイレクト印刷システムを用いて、印刷メディア１１１に印刷とデータの書込みとを実行している。この他にもたとえば、パーソナルコンピュータに、ＤＳＣ３とダイレクト印刷に対応していないプリンタとを接続し、このプリンタにおいて印刷メディア１１１への印刷とデータの書込みとを実行するようにしてもよい。この場合、パーソナルコンピュータは、印刷のためのラスタデータとは別に書込データをプリンタへ送信する必要がある。
【０１９２】
各実施の形態では、ＤＳＣ３を例として画像供給装置を説明している。画像供給装置は、他にもたとえば、携帯電話機、ＰＤＡ（Ｐｅｒｓｏｎａｌ  Ｄｉｇｉｔａｌ  Ａｓｓｉｓｔａｎｔｓ）などの情報端末であってもよい。
【０１９３】
各実施の形態では、フォトスタンド６で展示する画像を印刷メディア１１１に印刷している。この他にもたとえば、パンフレット、アルバム、その他に用いる画像を印刷メディア１１１に印刷し、且つ、その印刷メディア１１１のＲＦタグチップ１１２に、その印刷した画像に関連するデータを格納するようにしてもよい。たとえば、アルバム用の複数枚の印刷メディア１１１のＲＦタグチップ１１２に、再印刷のための印刷条件などのデータを格納し、その複数枚の印刷メディア１１１をフォトスタンド６にセットすることで、アルバム全体を手間をかけずに複製することが可能となる。
【０１９４】
各実施の形態では、スタートディスプレイオペレーションなどを送信する手段として、ＰＴＰ通信部と、ＵＳＢスティルイメージクラスと、ＵＳＢ通信Ｉ／Ｆとで構成されるものを利用している。この他にもたとえば、サブクラスとしてＳＣＳＩコマンドを指定したＵＳＢマスストレージクラスと、ＵＳＢ通信Ｉ／Ｆとで構成されるものを、オペレーションなどを送信する手段として利用してもよい。さらに他にもたとえば、オペレーションなどを送信する手段として、ＵＳＢなどの有線通信路を利用するのではなく、無線通信路を利用するものを利用してもよい。
【０１９５】
各実施の形態では、ＤＳＣ３からプリンタ４へスタートプリントオペレーションを送信し、プリンタ４がそのスタートプリントオペレーションで指定されたＥｘｉｆ画像ファイル２１を読み込んでいる。この他にもたとえば、ＤＳＣ３が、プリンタ４へＥｘｉｆ画像ファイル２１を自発的に送信するようにしてもよい。
【産業上の利用可能性】
【０１９６】
本発明は、たとえばデジタルスチルカメラとプリンタとを直接に接続し、そのデジタルスチルカメラで撮像した画像をプリンタで印刷する画像印刷システムなどに利用することができる。
【図面の簡単な説明】
【０１９７】
【図１】本発明の実施の形態１に係るダイレクト印刷システムの構成を示す図である。
【図２】図１中のＤＳＣのハードウェア構成を示す図である。
【図３】図２中のフラッシュメモリの記憶内容を示す図である。
【図４】図１のダイレクト印刷システムに実現される機能を示すブロック図である。
【図５】図４の印刷ＯＰ生成部が送信するスタートプリントオペレーションである。
【図６】図１中のプリンタのハードウェア構成を示す図である。
【図７】図１中のプリンタの内部構造を示す透過側面図である。
【図８】図７の給紙トレイに載置される印刷メディアの一例を示す図である。
【図９】図８中のＲＦタグチップを示すブロック図である。
【図１０】図９中のメモリの内部データを示す図である。
【図１１】図６中のプリンタのフラッシュメモリの記憶内容を示す図である。
【図１２】図１中のＤＳＣとプリンタとの間の通信シーケンスを示す図である。
【図１３】図４中のプリンタの印刷制御部の処理を示すフローチャートである。
【図１４】図４の印刷ＯＰ生成部が送信するゲットケーパビリティオペレーション。
【図１５】図４のＯＰ解釈部が生成するケーパビリティレスポンスである。
【図１６】本発明の実施の形態１に係る再生システムの構成を示す図である。
【図１７】フォトスタンドのハードウェア構成を示す図である。
【図１８】図１７中のフラッシュメモリの記憶内容を示す図である。
【図１９】図１６のフォトスタンドに実現される機能を示すブロック図である。
【図２０】図１６の再生システムに実現される機能を示すブロック図である。
【図２１】図１６中のパーソナルコンピュータのハードウェア構成を示す図である。
【図２２】図２１中のパーソナルコンピュータの記憶部の記憶内容を示す図である。
【図２３】図１９中の音声再生部による再生処理の流れを示すフローチャートである。
【図２４】図１６の再生システムによる再生処理の流れを示すフローチャートである。
【図２５】本発明の実施の形態２に係る複合機を示す斜視図である。
【図２６】図２５に示す複合機のハードウェア構成を示す図である。
【図２７】図２６中のフラッシュメモリの記憶内容を示す図である。
【図２８】図２５の複合機に実現される機能を示すブロック図である。
【図２９】本発明の実施の形態３に係るプリンタの内部構造を示す透過上面図である。
【図３０】図２９中の給紙トレイに印刷メディアを裏返しにセットした状態。
【図３１】プリンタの印刷制御部の処理を示すフローチャートである。
【符号の説明】
【０１９８】
３  ＤＳＣ（画像供給装置）、４  プリンタ（印刷装置）、７  パーソナルコンピュータ（別の再生装置）、１９  ＵＳＢ通信Ｉ／Ｆ（送信手段）、２１  Ｅｘｉｆ画像ファイル（画像ファイル）、４１  印刷ＯＰ生成部（画像選択手段、書込データ選択手段、印刷指示手段）、７６  給紙機構（搬送手段、印刷手段の一部）、７７  インク吐出機構（印刷手段の一部）、７８，３１２  ＲＦタグリーダライタ（書込手段、検出手段）、８１  ＵＳＢ通信Ｉ／Ｆ（受信手段）、９１  給紙トレイ、９６  排紙トレイ、１１１  印刷メディア、１１２  ＲＦタグチップ（ＩＣチップ）、１５３  印刷制御部（印刷制御手段）、１８１  展示パネル（載置台）、２１１  音声再生部（読出手段、再生手段）、２３９  ＵＳＢ通信Ｉ／Ｆ（受信手段）、２５１  音声再生部（再生手段）、２６６  スキャナユニット（画像読取手段）、２６７  ＲＦタグリーダライタ（データ読取手段）、２６８  プリントエンジン（印刷手段）、２９１  印刷制御部（印刷制御手段）
【図１】
2005346553.tif 000003
【図２】
2005346553.tif 000004
【図３】
2005346553.tif 000005
【図４】
2005346553.tif 000006
【図５】
2005346553.tif 000007
【図６】
2005346553.tif 000008
【図７】
2005346553.tif 000009
【図８】
2005346553.tif 000010
【図９】
2005346553.tif 000011
【図１０】
2005346553.tif 000012
【図１１】
2005346553.tif 000013
【図１２】
2005346553.tif 000014
【図１３】
2005346553.tif 000015
【図１４】
2005346553.tif 000016
【図１５】
2005346553.tif 000017
【図１６】
2005346553.tif 000018
【図１７】
2005346553.tif 000019
【図１８】
2005346553.tif 000020
【図１９】
2005346553.tif 000021
【図２０】
2005346553.tif 000022
【図２１】
2005346553.tif 000023
【図２２】
2005346553.tif 000024
【図２３】
2005346553.tif 000025
【図２４】
2005346553.tif 000026
【図２５】
2005346553.tif 000027
【図２６】
2005346553.tif 000028
【図２７】
2005346553.tif 000029
【図２８】
2005346553.tif 000030
【図２９】
2005346553.tif 000031
【図３０】
2005346553.tif 000032
【図３１】
2005346553.tif 000033